(57)【要約】      （修正有）【課題】タオルに付着した泡を簡便に洗浄することができるタオル洗浄具を提供する。【解決手段】水流を利用してタオル３０に付着した泡を洗浄するタオル洗浄具１であって、水流をストレートで扇状に拡幅させる水流拡幅手段１０と、水流拡幅手段１０により拡幅させた水流３が当たる領域にタオル３０を支持するサポート手段２０と、を備える。【選択図】図１
2019187664.tif 000002
【特許請求の範囲】
【請求項１】
水流を利用してタオルに付着した泡を洗浄するタオル洗浄具であって、
前記水流をストレートで扇状に拡幅させる水流拡幅手段と、
前記水流拡幅手段により拡幅させた水流が当たる領域に前記タオルを支持するサポート手段と、
を備えることを特徴とするタオル洗浄具。
【請求項２】
前記タオルは長手状であり、
前記水流拡幅手段は、前記水流を前記タオルの幅方向に拡幅させる
請求項１に記載のタオル洗浄具。
【請求項３】
前記サポート手段は、サポートバーまたはサポート板である
請求項１または２に記載のタオル洗浄具。
【請求項４】
タオル洗浄具を備えたバスユニットであって、
前記タオル洗浄具は、請求項１〜３のいずれか一項に記載のタオル洗浄具であることを特徴とするバスユニット。
【請求項５】
請求項１〜３のいずれか一項に記載のタオル洗浄具を用いたタオル洗浄方法であって、
前記水流拡幅手段により拡幅させたストレートで扇状の水流を前記タオルの幅方向に散水した状態で、前記タオルを幅方向と直交する方向に移動させることを特徴とするタオル洗浄方法。
【発明の詳細な説明】
【技術分野】
【０００１】
本発明は、タオルに付着した泡を洗浄するためのタオル洗浄具、それを備えたバスユニット及びタオル洗浄方法に関する。
【背景技術】
【０００２】
旅館等の宿泊先の浴室で身体を洗う際には、備え付けの綿タオルが使用される場合が多い。一方、一般家庭の浴室で身体を洗う際には、ナイロン（ポリアミド系繊維の総称）製のタオル（以下、「ナイロンタオル」という）が使用される場合が多い。このようなタオルに石鹸を付けて身体を洗った後、タオルに付着した泡を洗浄するには、洗面器等でタオルを何度も洗わなければならず、非常に煩わしかった。
【０００３】
従来のタオルは、泡立ちを良くする点にのみ注目して改良がなされており、例えば、「芯糸の周囲に多数のループを形成する花糸を配置して花糸の上から押さえ糸を巻きつけて形成される意匠撚糸を用いて編成されるパイル編地部を有する長尺な筒状の外側編地部と、筒状の外側編地部の内部に配置され、主として化学繊維の糸で編成される長尺な内側編地部とを有し、外側編地部と内側編地部とは、少なくとも長手方向両端部において積層された状態で接合されているボディタオル」が提案されている（特許文献１）。
【先行技術文献】
【特許文献】
【０００４】
【特許文献１】特開２０１６−０４３１６０号公報
【発明の概要】
【発明が解決しようとする課題】
【０００５】
上記特許文献１に記載のボディタオルは、泡立ちを良くする点では優れているが、洗浄の面は考慮されておらず、タオルに付着した泡を簡便に洗浄することができるタオル洗浄具が待望されていた。
【０００６】
本発明は、上記の課題に鑑み、タオルに付着した泡を簡便に洗浄することができるタオル洗浄具、バスユニット及びタオル洗浄方法を提供する。
【課題を解決するための手段】
【０００７】
本発明の一態様に係るタオル洗浄具は、水流を利用してタオルに付着した泡を洗浄するタオル洗浄具であって、前記水流をストレートで扇状に拡幅させる水流拡幅手段と、前記水流拡幅手段により拡幅させた水流が当たる領域に前記タオルを支持するサポート手段と、を備えることを特徴としている。
【０００８】
本発明の別の態様に係るバスユニットは、タオル洗浄具を備えたバスユニットであって、前記タオル洗浄具は、前述のタオル洗浄具であることを特徴としている。
【０００９】
また、本発明の別の態様に係るタオル洗浄方法は、前述のタオル洗浄具を用いたタオル洗浄方法であって、前記水流拡幅手段により拡幅させたストレートで扇状の水流を前記タオルの幅方向に散水した状態で、前記タオルを幅方向と直交する方向に移動させることを特徴としている。
【発明の効果】
【００１０】
本発明の一態様に係るタオル洗浄具は、タオルに付着した泡を簡便に洗浄することができる。
【図面の簡単な説明】
【００１１】
【図１】本発明の実施形態に係るタオル洗浄具を備えたバスユニットの概略構成を示す図である。
【図２】本発明の実施形態に係るタオル洗浄具の概略構成を示す側面図である。
【図３】本発明の実施形態に係るタオル洗浄具の概略構成を示す平面図である。
【図４】（ａ）は水流の出所を２ヶ所設け、各出所から水流をサポート板に向けて散水した状態を上から見た図であり、（ｂ）はサポート板を正面から見た図である。
【発明を実施するための形態】
【００１２】
＜概要＞
本発明の一態様に係るタオル洗浄具は、水流を利用してタオルに付着した泡を洗浄するタオル洗浄具であって、前記水流をストレートで扇状に拡幅させる水流拡幅手段と、前記水流拡幅手段により拡幅させた水流が当たる領域に前記タオルを支持するサポート手段と、を備えることを特徴としている。これにより、タオルに付着した泡を簡便に洗浄することができる。
【００１３】
別態様に係るタオル洗浄具において、前記タオルは長手状であり、前記水流拡幅手段は、前記水流を前記タオルの幅方向に拡幅させる。これにより、タオルの洗浄を効率的に行うことができる。
【００１４】
別態様に係るタオル洗浄具において、前記サポート手段は、サポートバーまたはサポート板である。これにより、より簡便にタオルを洗浄することができる。
【００１５】
また、本発明の一態様に係るバスユニットは、タオル洗浄具を備えたバスユニットであって、前記タオル洗浄具は、前述のタオル洗浄具である。これにより、タオルに付着した泡を簡便に洗浄することができる機能を備えたバスユニットを提供することができる。
【００１６】
また、本発明の一態様に係るタオル洗浄方法は、前述のタオル洗浄具を用いたタオル洗浄方法であって、前記水流拡幅手段により拡幅させたストレートで扇状の水流を前記タオルの幅方向に散水した状態で、前記タオルを幅方向と直交する方向に移動させる。これにより、タオルに付着した泡を簡便に洗浄することができる。
【００１７】
＜実施形態＞
以下に本発明の実施形態に係るタオル洗浄具について、図面を参照しながら詳細に説明する。なお、本発明は、以下の実施形態に限定されるものではない。
【００１８】
＜第１実施形態＞
図１は本発明の実施形態に係るタオル洗浄具１を備えたバスユニット１００の概略構成を示す図である。
【００１９】
なお、以下、図面において、矢印ＵＰの方向は上方向、矢印ＤＮの方向は下方向、矢印Ｌの方向は左方向、矢印Ｒの方向は右方向、矢印ＦＲの方向は手前方向、矢印ＲＲは矢印ＦＲの反対方向をそれぞれ示す。
【００２０】
１．全体構成
主に、図１を用いて説明する。
本実施形態のバスユニット１００は、本実施形態のタオル洗浄具１を備えている。ここでは、さらに混合水栓２００と、シャワーユニット３００とを備えている。
【００２１】
なお、本実施形態のバスユニット１００は、混合水栓２００やシャワーユニット３００以外の通常のバスユニットに必要な他の部品を備えていてもよい。
【００２２】
以下、各部について説明する。
２．混合水栓
混合水栓２００は、サーモスタット機能を備えており、左右のレバー２０１，２０２の開閉により、水量や温度の調整、混合水栓２００とシャワーユニット３００の切替等を行うことができる。
【００２３】
３．シャワーユニット
シャワーユニット３００は、ホース部３０１とヘッド部３０２とを備える。
【００２４】
４．タオル洗浄具
主に、図２及び図３を用いて説明する。
図２は本発明の実施形態に係るタオル洗浄具１の概略構成を示す側面図である。図３は本発明の実施形態に係るタオル洗浄具１を上からみた平面図であり、便宜上、蛇口２は省略して描いている。
【００２５】
本実施形態のタオル洗浄具１は、水流拡幅手段である水流拡幅部１０と、サポート手段であるサポートバー２０とを備える。ここでは、さらにガイド部２２も備える。
【００２６】
実施形態のタオル洗浄具１は、水流拡幅部１０、サポートバー２０等のセット品として使用、販売等することができ、例えば、リフォームの際に後付けで浴室に取り付けることができる。もしくは、予めタオル洗浄具１を組み込んだバスユニット１００としても使用、販売等することもできる。
【００２７】
５．水流拡幅部
水流拡幅部１０は、図示しないが、浴室の蛇口２の先端部２ａ近傍に小さな口径の吐出穴が一列（矢印ＦＲ方向から矢印ＲＲ方向）に設けられ、水栓（ここでは、浴室の蛇口２）からの水流をストレートで扇状（矢印ＦＲ方向から矢印ＲＲ方向）に拡幅することができる。
【００２８】
水流拡幅部１０は、図示しない切替え手段により、通常の水流と、ストレートで扇状に広がったワイドな水流３（タオル洗浄モード）とに切り替えることができる。切替え手段は、例えば、蛇口２の先端部２ａ近傍の吐出穴の大きさを、通常の水流と、タオル洗浄モードとで切替える等の手法により行うことができる。
【００２９】
５−１．水流
水流３は、タオルに付着した泡を洗浄する観点からは、１列の方が水圧が強く好ましいが、充分な水圧を確保できるのであれば、２列、３列等であっても差し支えない。ここで、水流３の列とは、タオル３０の幅方向に拡幅された水流をいい、タオルの長手方向に２列、３列にしてもよい。
【００３０】
６．サポートバー
サポートバー２０は、ストレートで扇状に広がったワイドな水流３が当たる領域２１にタオル３０を支持する。
【００３１】
ここでは、サポートバー２０は、一端が浴室ユニットの壁５に取り付けられた平板状のバーである。
【００３２】
サポートバー２０は、壁５と直交する方向に延びた状態（図３参照）から、左右に約９０度ずつ可動するようになっている。これにより、タオルを洗浄する必要がない時には、邪魔にならないように浴室ユニットの壁５側に移動させることができる。
【００３３】
７．ガイド部
ガイド部２２は、所定の間隔（タオル３０の幅寸法Ｗ）をあけて、サポートバー２０から上方に突出して設けられている。これにより、タオル３０を長手方向に往復させる際に、幅方向へのずれを防ぐことができ効率的にタオル３０の洗浄を行うことができる。
【００３４】
なお、タオル３０の幅寸法Ｗに対応すべく、ガイド部２２の位置は左右にずらして微調整することができるようになっている。
【００３５】
８．タオル洗浄方法
まず、タオル洗浄モードに切り替えて、水流拡幅部１０から、ストレートで扇状に広がったワイドな水流３を散水する。サポートバー２０を壁５と直交する方向にセットし（図３参照）、ストレートで扇状に広がったワイドな水流３が当たる領域２１でタオル３０を支持する。水流３が当たる領域２１をタオル３０が通過するよう、長手方向（図３の左右方向）にタオル３０を往復させる。ガイド部２２により、タオル３０の幅方向の位置が規制されているので効率的にタオルの洗浄を行うことができる。本実施形態によれば、ナイロンタオルの場合、タオルを１往復もしくは２往復させるだけで、タオルに付着した泡を完全に洗浄することができる。
【００３６】
なお、タオル３０の移動方向は長手方向（図３の左右方向）に限定されず、サポートバー２０を支点にして斜め下方向に往復、いわゆる山形に移動させても差し支えない。
【００３７】
＜第２実施形態＞
第１実施形態では、水流３を下方（図２参照）に散水し、タオル３０を左右方向（図３参照）に往復させて洗浄したが、水流の散水の方向とタオルの往復方向（移動方向）は特に限定はなく、例えば、水流を左右方向（水流３と直交する方向）に散水し、タオル３０を上下方向に往復させて洗浄することもできる（第４実施形態参照）。
【００３８】
＜第３実施形態＞
第１実施形態では、蛇口２からの水流を利用しているが、切替手段（例えば、三方弁等）により切り替えて、蛇口２以外からの水流を直接利用することもできる。例えば、混合水栓２００とシャワーユニット３００との間に三方弁を設け、直接、ストレートで扇状の水流を散水できるようにすることもできる（第４実施形態参照）。
【００３９】
＜第４実施形態＞
第１実施形態では、水流の出所（出口）は蛇口２の先端部２ａのみの１ヶ所であるが、水流の出所は２ヶ所以上であっても差し支えない。
【００４０】
図４（ａ）は、水流の出所４０１，４０２を２ヶ所設け、各出所４０１，４０２から水流４１１，４１２を、サポート板４４０に向けて散水した状態を上から見た図である。図４（ｂ）はサポート板４４０を正面から見た図である。
【００４１】
第４実施形態は、水流４１１，４１２を左右方向に角度（約４０°）を付けて散水し、タオル４３０を上下方向に往復させて洗浄する場合を示す。
【００４２】
また、混合水栓２００とシャワーユニット３００との間に設けた切替手段（例えば、三方弁等）により切り替えて、水流の出所４０１，４０２からの水流４１１，４１２を直接タオル４３０に散水している。
【００４３】
１．サポート板
サポート板４４０は扇形であり、水流４１１，４１２が当たる場所には、開口４４１，４４２が形成されている。
【００４４】
１−１．開口
開口４４１，４４２は互いに角度（約４０°）を付けて設けられ、２つの開口４４１，４４２を合わせると、いわゆる「ハの字状（山形形状）」を形成している。
開口４４１の左側４４１ａから開口４４２の右側４４２ａまでの幅寸法は、タオル４３０の幅寸法と略同程度か若干広くなっている。
【００４５】
２．水流
水流４１１は、図示しない水流拡幅手段により、開口４４１に向けて角度（約４０°）を付けてストレートで扇状の散水幅に拡幅される。同様に、水流４１２は、図示しない水流拡幅手段により、開口４４２に向けて角度（約４０°）を付けてストレートで扇状の散水幅に拡幅される。つまり、２つの水流４１１，４１２を合わせると、いわゆる「ハの字状（山形形状）」の水流となる。
【００４６】
これにより、サポート板４４０に向けて散水された水流４１１，４１２は、開口４４１，４４２を通過してサポート板４４０の裏側へと勢いよく排出される。
【００４７】
したがって、サポート板４４０の手前にタオル４３０を置くと、タオル４３０の幅方向に均等に水流があたり、その水圧によりタオル４３０はサポート板４４０へと押し付けられる。
【００４８】
本実施形態によると、タオル４３０を上下方向に１往復もしくは２往復させると、タオル４３０に付着した泡が略どなくなり、タオル４３０を洗浄することができる。前述のように、タオル４３０は水圧でサポート板４４０へと押し付けられるので、片手で簡単にタオル４３０を洗浄することができる。
【００４９】
＜変形例＞
以上、一実施形態に係るタオル洗浄具を説明したが、本発明はこの実施形態に限られるものではなく、例えば、以下のような変形例であってもよい。また、実施形態と変形例とを組み合わせたものでもよいし、変形例同士を組み合わせたものでもよい。また、実施形態や変形例に記載していない例や要旨を逸脱しない範囲の設計変更があっても本発明に含まれる。
【００５０】
１．水流拡幅手段
実施形態では、水流拡幅手段として水流拡幅部１０を設けたが、これに限定されるものではない。
【００５１】
また、水流拡幅部１０は蛇口２の先端部２ａ近傍に設けたが、これに限定されず、例えば、シャワーユニット３００のヘッド部３０２の先端部３０２ａ近傍に設けることもできる。この場合、通常の水流と、ストレートで扇状に広がったワイドな水流３（タオル洗浄モード）との切り替えは、例えば、ヘッド部３０２のノズルを回転させる等により行うことができる。
【００５２】
水流拡幅部１０は、切替え手段（図示しない）により、通常の水流と、ストレートで扇状に広がったワイドな水流３（タオル洗浄モード）とに切り替えたが、センサ等で検知して自動的にタオル洗浄モードに切り替えるようにすることも可能である。
【００５３】
また、タオル洗浄後はセンサ等で検知して自動的に水流が停止するようにすることも可能である。
【００５４】
２．サポート手段
２−１．サポートバー
実施形態では、サポート手段としてサポートバー２０を使用したが、これに限定されるものではない。
【００５５】
サポートバー２０の形状は平板状に限定されず、扇形状でも丸棒状であっても差し支えない。また、サポートバー２０の大きさ（幅、長さ等）も特に限定されるものではない。
【００５６】
サポートバー２０は、浴室の壁５に直接取り付けているが、取付場所、取付手段等は限定されるものではない。
【００５７】
サポートバー２０は、可動式であるが、固定式であっても差し支えない。
【００５８】
実施形態では、タオル３０はサポートバー２０の上側を通過させて長手方向に往復させているが、タオル３０がサポートバー２０の下側を通過するようにしてもよい。つまり、サポートバー２０を支点にしてタオル３０を斜め上方向に往復、いわゆるＶ字方向に移動させて洗浄するようにしてもよい。この場合、左右のガイド部２２は、サポートバー２０に対して下向きに取り付けることが好ましい。
【００５９】
また、実施形態では、サポートバー２０は、ストレートで扇状に広がったワイドな水流３が当たる領域２１（水流３の真下）に設けられているが、領域２１から左右に少し離れた場所にサポートバー２０を設けても差し支えない。
【００６０】
２−２．サポート板
サポート板４４０は、扇形に限定されず、平板状であっても差し支えない。
【００６１】
３．ガイド部
実施形態では左右２個のガイド部２２を設けているが、左右何れか１個のみであってもよい。また、ガイド部２２は省略しても差し付けない。
【００６２】
４．水栓
実施形態では、混合水栓２００を使用しているが、特に限定はなく、例えば、単水栓等であっても差し支えない。
【００６３】
５．タオル
使用するタオル３０の材質は、特に限定はなく、例えば、綿タオル、ナイロンタオル等が使用できるが、ナイロンタオルの方が付着した泡を洗浄しやすい点で好ましい。
また、タオルの形状も特に限定はなく、長手状のみならず、球体状のスポンジ製のものであっても差し支えない。
【００６４】
６．開口
実施形態では、開口４４１，４４２は角度（約４０°）を付けて斜めに設けたが、開口はサポート板４４０の長手方向（上下方向）に沿って真っ直ぐに設けてもよい。
この場合、開口は、左右方向に２個もしくは３個設けることもできる。開口の幅や長さは、同一であっても異なっていてもよい。
【００６５】
７．タオル洗浄具
本発明のタオル洗浄具は、タオルに付着した泡の洗浄以外にも、泥等で汚れた靴下や服の袖等の洗浄にも利用することができる。
【符号の説明】
【００６６】
１  タオル洗浄具
１０  水流拡幅部
２０  サポートバー
【図１】
2019187664.tif 000003
【図２】
2019187664.tif 000004
【図３】
2019187664.tif 000005
【図４】
2019187664.tif 000006
【手続補正書】
【提出日】平成30年7月21日(2018.7.21)
【手続補正１】
【補正対象書類名】特許請求の範囲
【補正対象項目名】全文
【補正方法】変更
【補正の内容】
【特許請求の範囲】
【請求項１】
水流をストレートで扇状に拡幅させる水流拡幅手段と、
前記水流拡幅手段により拡幅された水流がタオルの幅方向に均等に当たるように前記タオルの位置のずれを防止することができ、前記タオルを幅方向と直交する方向に移動させることができるサポート手段と、を備え、
前記水流の水圧を利用して前記タオルに付着した泡を洗浄することを特徴とするタオル洗浄具。
【請求項２】
前記サポート手段は、前記水流が当たる場所に開口が形成されたサポート板であり、前記サポート板に向けて拡幅された水流が前記開口を通過して前記サポート板の裏側へ排出される
請求項１に記載のタオル洗浄具。
【請求項３】
前記タオルの移動方向は上下方向である
請求項１または２に記載のタオル洗浄具。
【請求項４】
タオル洗浄具を備えたバスユニットであって、
前記タオル洗浄具は、請求項１〜３のいずれか一項に記載のタオル洗浄具であることを特徴とするバスユニット。
【請求項５】
請求項１〜３のいずれか一項に記載のタオル洗浄具を用いたタオル洗浄方法であって、
前記水流拡幅手段により拡幅させたストレートで扇状の水流を前記タオルの幅方向に散水した状態で、前記タオルを幅方向と直交する方向に移動させることを特徴とするタオル洗浄方法。
【手続補正２】
【補正対象書類名】明細書
【補正対象項目名】０００７
【補正方法】変更
【補正の内容】
【０００７】
本発明の一態様に係るタオル洗浄具は、水流をストレートで扇状に拡幅させる水流拡幅手段と、水流をストレートで扇状に拡幅させる水流拡幅手段と、前記水流拡幅手段により拡幅された水流がタオルの幅方向に均等に当たるように前記タオルの位置のずれを防止することができ、前記タオルを幅方向と直交する方向に移動させることができるサポート手段と、を備え、前記水流の水圧を利用して前記タオルに付着した泡を洗浄することを特徴としている。